(57)【要約】【課題】構造が極めて簡単で、且つその構成部材を最小限にすることができるとともに施工を簡易且つ迅速にできる採光外囲体とすること。【解決手段】中空状筺部１と，該中空状筺部１に形成された溝状の被挿入部２とからなる主支持枠部Ａ１　と，該主支持枠Ａ１　の下方に一体形成された装着部１１とからなる採光板支持体Ａと、前記被挿入部２にガスケット１８を介して挿入支持される主採光板１７と、複数の建築用板Ｂ１　，Ｂ１　，…にて構成されるとともに適宜の箇所に採光用開口部Ｓが形成がされた外囲体Ｂと、前記採光板支持体Ａと採光用開口部Ｓとを連結する連結部材Ｃとからなること。前記主採光板１７の幅方向両側端にガスケット１８，８が装着され、該ガスケット１８が前記被挿入部２に挿入され、両採光板支持体Ａ，Ａの装着部１１と前記採光用開口部Ｓに装着された連結具とが固着されてなること。【選択図】　　　図１
2004137824.tif 000002
【特許請求の範囲】
【請求項１】
中空状筺部と，該中空状筺部に形成された溝状の被挿入部とからなる主支持枠と，該主支持枠の下方に一体形成された装着部とからなる採光板支持体と、前記被挿入部にガスケットを介して挿入支持される主採光板と、複数の建築用板にて構成されるとともに適宜の箇所に採光用開口部が形成された外囲体と、前記採光板支持体と採光用開口部とを連結する連結部材とからなり、前記主採光板の幅方向両側端にガスケットが装着され、該ガスケットが前記被挿入部に挿入され、両採光板支持体の装着部と前記採光用開口部に装着された連結具とが固着されてなることを特徴とする採光外囲体。
【請求項２】
請求項１において、前記主採光板の表面側と採光板支持体とガスケットの周辺はシール材にて被覆されてなることを特徴とする採光外囲体。
【請求項３】
請求項１又は２において、前記採光板支持体の被挿入部の下方箇所には溝状の副支持部が形成され、且つ前記主採光板の下方に位置する副採光板が具備され、前記副採光板は前記副支持部に装着されてなることを特徴とする採光外囲体。
【請求項４】
請求項３において、前記副支持部の下方箇所には樋状部が形成されてなることを特徴とする採光外囲体。
【請求項５】
請求項４において、前記樋状部に隣接して排水室が形成され、前記樋状部と排水室との間には内部排水弁が装着され、且つ該内部排水弁により樋状部から排水室の方向にのみ水の流れが可能としてなることを特徴とする採光外囲体。
【請求項６】
請求項５において、前記排水室５の外側面部には外部排水弁が装着され、且つ排水室から外部にのみ排水可能としてなることを特徴とする採光外囲体。
【請求項７】
請求項１，２，３，４，５又は６において、前記両採光板支持体及び主採光板上には被覆採光体が装着されてなることを特徴とする採光外囲体。
【請求項８】
請求項１，２，３，４，５，６又は７において、前記建築用板は折板タイプとし、前記採光用開口部は隣接する折板タイプの建築用板に適宜の間隔を設けてなることを採光外囲体。
【請求項９】
請求項１，２，３，４，５，６又は７において、前記建築用板はフラットタイプとし、前記採光用開口部は前記フラットタイプの建築用板の主板に形成されてなることを採光外囲体。
【発明の詳細な説明】
【０００１】
【発明の属する技術分野】
本発明は、構造が極めて簡単で、且つその構成部材を最小限にすることができるとともに施工を簡易且つ迅速にできる採光外囲体に関する。
【０００２】
【従来の技術】
従来、外部の光を屋内に採り入れる屋根，壁等の採光外囲体が種々存在している。これらの多くは、屋根等を構成する建築用板の適所に開口部を設け、該開口部箇所に採光板を水密的に設けるものであった。この種の多くのものでは、採光板を取り付けるための枠体構造が複数の部材から構成されたもので、構成が極めて複雑であり、それゆえに組立作業も高い精度が要求され、困難且つ面倒なもであった。
【０００３】
【発明が解決しようとする課題】
上記の採光外囲体を施工する場合において、採光板の支持枠体は、多くの部材からなり、これらを組み合わせて組み立てる作業では、多数の種々のボルト・ナット或いはビス等の固着具を使用することになり、施工に当たって極めて面倒且つ困難である。ひいては作業時間も多く、全体作業効率を低下させる要因となっていた。特に、採光板を支持する場合に少なくとも２部材でその採光板の両面を挟持しつつ、屋根，壁等の外囲体の開口箇所に部材を適宜装着しながら施工するタイプのものが多い。
【０００４】
このようなものでは、あらかじめ採光装置のみを組み立てておいて、これを屋根や壁の開口箇所に装着するという工法はできないことが多かった。すなわち、屋根や壁を施工し、その一部に開口を設け、その開口箇所に採光装置を組み立てるというもので、面倒なものであった。さらに、その採光板の支持枠体と、折板タイプの建築用板との接合も複雑であり、特に支持枠体と接する建築用板は多少の加工が必要となったり、又は専用の部品が必要となる等、種々の不都合な点が多かった。本発明の目的は、上記のように屋根，壁等の外囲体において、その適宜の位置に採光装置を施工することが極めて簡単にできることにある。
【０００５】
【課題を解決するための手段】
そこで、発明者は、上記課題を解決すべく、鋭意，研究を重ねた結果、本発明を、溝状の支持部が形成された中空筺体状の支持枠と，該支持枠の下部に一体形成され且つ建築用板の幅方向端部に装着する装着枠とからなる採光板支持体と、前記支持部にガスケットを介して挿入支持される採光板と、適宜の間隔をおいて隣接する建築用板の対向する端部に固着される連結具とからなり、適宜の間隔をおいて幅方向に隣接する建築用板の間隔箇所に前記連結具が固着され、該連結具に採光板の幅方向両端に装着された採光板支持体が固着されてなる採光外囲体における採光板支持装置としたことにより、部品数を最小限とし、且つ施工作業を簡単なものとし、作業効率を向上させ、上記課題を解決したものである。
【０００６】
【発明の実施の形態】
以下、本発明の実施例を図面に基づいて説明する。まず、本発明は、図１に示すように、主に採光板支持体Ａ，主採光板１７，ガスケット１８，建築用板Ｂ１　及び連結部材Ｃ等から構成される。その採光板支持体Ａは、図３，図４（Ａ）等に示すように、後述する主採光板１７の幅方向両側に装着されるもので、二つ備えられ、左右一組としたものである。その断面形状は、左右対称形状としたものであるが、基本的には同一形状である。
【０００７】
また、採光板支持体Ａは図２（Ａ）に示すように、長手方向に長尺としたものであるが、その長さは、採光装置の長手方向の寸法に応じて適宜に設定される。通常は、採光装置の長手方向の長さは、約２メートル程度が好適であるので、採光板支持体Ａの長さも約２メートル内外とすることが多いが、必ずしもこの寸法に限定される必要はない。また、上記のように採光板支持体Ａの長手方向の長さを２メートル程度とした採光装置を複数備え、これらを１列状に配列して使用することもある。
【０００８】
その採光板支持体Ａは、図３，図４（Ａ）に示すように、主支持枠Ａ１　と装着部１１とから構成される。さらに主支持枠Ａ１　は、中空状筺部１と被挿入部２とから構成される。該被挿入部２は、前記中空状筺部１に形成されたものである。その中空状筺部１は、正方形又は長方形等の断面ほぼ方形状に形成されているが、必ずしもこの形状に限定されるものではなく、外形に円形又は湾曲状の部位を有するものであってもかまわない。その被挿入部２は、中空状筺部１の内側に形成される。
【０００９】
その中空状筺部１の内側とは、主採光板１７の幅方向両端を支持した場合に、両採光板支持体Ａ，Ａが対向する側の面のことをいう。被挿入部２は、図３（Ｂ）に示すように、貫通孔状で且つ採光板支持体Ａの長手方向に沿って形成された直線状溝である。この被挿入部２内に後述するガスケット１８が嵌入され且つ嵌合状態で固着される。
【００１０】
その被挿入部２の下方には、図４（Ａ）に示すように、副支持部３が一体的に形成される。該副支持部３は、後述する副採光板１９が装着される部位であり、主支持枠Ａ１　を構成する部位となる。その副支持部３は、断面コ字形状に形成されている。さらに具体的には、そのコ字形状とした溝部箇所の開口の下端より上方に向かって副支持突起片３ａにより、図４（Ａ）に示すように、下面側より支持される構成となっている。前記副支持部３の開口側が形成される方向は、前記被挿入部２の開口側の方向と一致している。
【００１１】
さらに、その副支持部３の下方には、図４（Ａ）に示すように、樋状部４が一体的に形成されている。該樋状部４は、主支持枠Ａ１　を構成する部位であり、前記主支持枠Ａ１　の内側面より水平方向に突出するように形成された部位であり、その樋溝状部分は主支持枠Ａ１　の長手方向に沿って形成されている。該樋状部４は、底部４ａ，立上り側片４ｂとから構成されている。その樋状部４と外方側で隣接する位置に排水室５が形成されている。該排水室５は、長方形，正方形等の断面方形状に形成されたものであり、後述するように樋状部４に溜まった雨水を排水するための部屋を構成するものである。この排水室５も、前記採光板支持体Ａの中空状筺部１の下方位置に形成されることとなる。
【００１２】
樋状部４と排水室５との仕切り壁４ｃには、貫通孔６が形成されている。該貫通孔６には、図４（Ａ）に示すように、内部排水弁７が形成されている。該内部排水弁７は、前記樋状部４側から排水室５側への水の流れのみが可能であり、その反対で排水室５から樋状部４側への水の流れは不可能となっている。その内部排水弁７は、図４（Ｂ）に示すように、弁枠体７ａに揺動扉７ｂが開閉自在にピン等で枢支されたものである。
【００１３】
該揺動扉７ｂは、排水室５側に向かって一方にのみ開くことができるようになっており、その反対側に向かって開くことができないようになっている。その弁枠体７ａは、ゴム，合成樹脂材等にて形成され、前記貫通孔６に密着状態に装着することができるようになっている。また、排水室５の底面箇所には、外部排水孔８が形成されており、樋状部４内の水は、外部排水孔８を介して排水室５から外部へ排水されるようになっている。
【００１４】
また、前記樋状部４と排水室５との仕切り壁４ｃには、貫通孔６のみで前記内部排水弁７が装着されない実施形態が存在する。この実施形態では、図４（Ｃ），図５（Ｃ），（Ｄ）等に示すように、前記排水室５の外壁面５ａに形成された貫通孔９に外部排水弁１０が装着されたものである。その外部排水弁１０は、図５（Ａ），（Ｂ）及び（Ｃ）に示すように、正面より見てほぼ長方形状の弁枠体１０ａに揺動扉１０ｂが形成されたものである。
【００１５】
該揺動扉１０ｂは、外部排水弁１０の開閉を行う役目をなすものであり、その揺動扉１０ｂは、外方に向かってのみ揺動し、排水室５側には揺動することができない構造となっている。このような構造とすることで、強風雨の場合に、揺動扉１０ｂが風によって閉じ、雨水が外部より排水室５に入り込むことを防止できる。
【００１６】
その外部排水弁１０の構造は、弁枠体１０ａに、図５（Ｂ）に示すように、揺動扉１０ｂよりも狭い開口となるように開口周縁１０ａ１　が形成されており、揺動扉１０ｂがその開口周縁１０ａ１　に当接するようになっている。そして、排水室５内に溜まった水はその外部排水弁１０を通して外部に排水される。したがって、外部排水弁１０は、排水室５の外壁面５ａの底面寄りに形成されることが、水を確実に排水できることになる。
【００１７】
この外部排水弁１０の弁枠体１０ａの裏面側には、幅方向両側箇所に嵌合突起１０ｃ，１０ｃが形成されており、図５（Ｄ）に示すように、該嵌合突起１０ｃ，１０ｃが前記貫通孔９に嵌合されることにより固着される。排水室５に外部排水弁１０が装着された場合にも、前記外部排水孔８が形成されており、僅かの排水量の場合にも十分に排水できるようにしているが、前記外部排水弁１０の揺動扉１０ｂの開閉動作が極めて良好な場合には、外部排水孔８が形成されないこともある。なお外部排水弁１０が装着された場合には、前記内部排水弁７は不要であり装着されない。
【００１８】
次に、装着部１１は、採光板支持体Ａを連結部材Ｃを介して屋根，壁等の外囲体Ｂに装着するものである。その装着部１１は主支持枠Ａ１　の下方に形成されている。具体的には、前記排水室５の下端より一体的に形成されたものであって、垂直板片状に形成されたものであり、後述する連結部材Ｃにビス等の連結用固着具３１を介して固着されるものである（図１，図９等参照）。
【００１９】
次に、連結部材Ｃは、図６に示すように、上下２部材より形成され、上連結部Ｃ１　び下連結部Ｃ２　とから構成される。そして、上連結部Ｃ１　と下連結部Ｃ２　とで、後述する外囲体Ｂの採光用開口部Ｓに装着される。その上連結部Ｃ１　には、連結主板１２の幅方向両端に垂下状の被連結屈曲片１３，１３が形成されている。該被連結屈曲片１３，１３は、図９に示すように、前記採光板支持体Ａの装着部１１に連結用固着具３１を介して固着される部位となる。そして下連結部Ｃ２　は、連結主板１４の幅方向両側に押え用屈曲片１５，１５が形成されている。
【００２０】
この連結部材Ｃは、外囲体Ｂを構成する建築用板Ｂ１　，Ｂ１　，…の下面側に下連結部Ｃ２　が配置され、建築用板Ｂ１　，Ｂ１　，…の上面側に上連結部Ｃ１　が配置され、前記下連結部Ｃ２　と上連結部Ｃ１　とがボルト・ナット等の固着具１６を介して連結される。また、前記上連結部Ｃ１　と下連結部Ｃ２　との形状は、外囲体Ｂを構成する建築用板Ｂ１　，Ｂ１　，…の形状により種々形状が異なる。
【００２１】
まずキャップ材２８を嵌合して装着する折板タイプでは、図６に示すように、押え用屈曲片１５は、ほぼＬ字形状に屈曲形成されたものであり、後述する建築用板Ｂ１　の連結用屈曲部２７を前記上連結部Ｃ１　の被連結屈曲片１３とともに上下方向に抱持するようにして支持することになる。さらに、前記連結用屈曲部２７を下馳部２７ａと上馳部２７ｂとからなるタイプとした場合も同様に被連結屈曲片１３と押え用屈曲片１５とで上下方向に抱持するようにして支持する〔図１２（Ａ），（Ｂ）参照〕。
【００２２】
次に、主採光板１７は、ガラス，アクリル等の透明又は乳白色等であり、ガラス板の場合には網入りガラスが使用されることもある。またガスケット１８は、主採光板１７の幅方向端部が挿入される挿入溝１８ａが形成され、その外部には前記被挿入部２の上下端縁に係止する被係止溝１８ｂ，１８ｂが形成されている。さらに、採光板支持体Ａの副支持部３には、副採光板１９が装着される。該副採光板１９は、前記主採光板１７と同様にガラス，アクリル等の透明又は乳白色等であり、ガラス板の場合には網入りガラスが使用されることもある。
【００２３】
そして、左右対称とした二つの採光板支持体Ａ，Ａ及び主採光板１７等により採光装置が構成される（図８参照）。まず、図７に示すように、ガスケット１８が採光板支持体Ａの被挿入部２に装着される。そして、主採光板１７の幅方向両端にガスケット１８，１８を装着した採光板支持体Ａ，Ａが装着される。また、必要に応じてその副支持部３，３に、副採光板１９が装着される。そのガスケット１８と採光板支持体Ａの被挿入部２箇所にはシール材２０が装着される。該シール材２０の材質は、シリコン等であり、ガスケット１８の水密性をさらに確実なものとする役目をなす。そのシール材２０は、容器から押し出すようにしてガスケット１８箇所に充填してゆくものであり、時間の経過とともに弾性且つ柔軟性を有して硬化するタイプのものが好適である。
【００２４】
上記のように構成された採光装置には、図１０（Ａ）に示すように、被覆採光体２１が配置されることもある。被覆採光体２１は、図１０（Ｂ）に示すように、被覆採光板２１ａと該被覆採光板２１ａを採光板支持体Ａ，Ａに装着する押え部材２１ｂ，２１ｂからなる。前記被覆採光板２１ａは、前記主採光板１７と同様にガラス，アクリル等の透明又は乳白色等であり、ガラス板の場合には網入りガラスが使用されることもある。また、その押え部材２１ｂは、断面ほぼＬ字形状をなしており、その一方が押え片２１ｂ１　であり、他方が固着片２１ｂ２　である。そして、前記押え片２１ｂ１　にて被覆採光板２１ａの幅方向両端を押さえつつ、その固着片２１ｂ２　にて前記採光板支持体Ａの側面箇所にビス等の固着具２２を介して固着するものである。
【００２５】
被覆採光体２１の第２タイプとして、図１１（Ａ）に示すように、被覆採光板２１ａの幅方向両側に取付用側部２１ｃ，２１ｃが形成されたものである。該取付用側部２１ｃ，２１ｃは図１１（Ｂ）に示すように、前記被覆採光板２１ａと一体形成されたものであり、該被覆採光板２１ａと取付用側部２１ｃ，２１ｃとがプラスチック又はアクリル等の合成樹脂材により形成されたものである。そして、この被覆採光体２１は、採光装置に装着するときには、前記取付用側部２１ｃ，２１ｃを外方に押し広げるようにして前記両採光板支持体Ａ，Ａに嵌合状態で固定するものである。
【００２６】
次に、外囲体Ｂを構成する建築用板Ｂ１　，Ｂ１　，…には、種々のタイプが存在する。特に大別すると、折板タイプ，フラットタイプ及び瓦棒タイプである。その第１タイプは、図１乃至図１１等に示すように、嵌合折板タイプであり、主板２５の幅方向両側に立上り側部２６，２６が形成されたものであり、該立上り側部２６，２６の上端には連結用屈曲部２７，２７が形成されている。その隣接する建築用板Ｂ１　，Ｂ１　は前記連結用屈曲部２７，２７により連結されるものであり、該連結用屈曲部２７，２７と前記立上り側部２６，２６とで山形状部を構成する。第１タイプでは、図２（Ｂ）に示すように、前記連結用屈曲部２７，２７は、キャップ材２８を介して連結されるものである。そのキャップ材２８と両連結用屈曲部２７，２７とは嵌合状態となるものである。
【００２７】
採光装置の装着箇所では、隣接する建築用板Ｂ１　，Ｂ１　を適宜に離間させ、対向する両連結用屈曲部２７，２７には、所定の間隔が形成され、これが採光用開口部Ｓとなる。該採光用開口部Ｓ箇所に前記連結部材Ｃが装着され、該連結部材Ｃにより採光板支持体Ａ，Ａとともに主採光板１７等が装着され採光装置が構成される。
【００２８】
建築用板Ｂ１　の第２タイプは、図１２（Ａ），（Ｂ）に示すように、馳締め折板タイプであり、前記連結用屈曲部２７，２７が馳締による連結構造としたものである。すなわち、建築用板Ｂ１　，Ｂ１　，…の両連結用屈曲部２７，２７の内、その一方を下馳部２７ａとし、他方を上馳部２７ｂとしたものである。そして、隣接する建築用板Ｂ１　，Ｂ１　の対向する連結用屈曲部２７，２７において、下馳部２７ａに上馳部２７ｂを馳締めして連結する〔図１２（Ｃ）参照〕。
【００２９】
この第２タイプの建築用板Ｂ１　，Ｂ１　において、第１タイプと同様に隣接する建築用板Ｂ１　，Ｂ１　を適宜に離間させ、対向する下馳部２７ａと上馳部２７ｂとの間には所定の間隔が形成され、これを採光用開口部Ｓとする。該採光用開口部Ｓ箇所に前記連結部材Ｃが装着され、該連結部材Ｃにより採光板支持体Ａ，Ａとともに主採光板１７等が装着され採光装置が構成される。
【００３０】
建築用板Ｂ１　の第３タイプは、図１３（Ａ）に示すように、重合折板タイプであり、前記連結用屈曲部２７，２７がほぼ裁頭山形状に形成されたものである。このタイプでは、両連結用屈曲部２７，２７同士を重合して連結するものである〔図１３（Ｂ）参照〕。この第３タイプの建築用板Ｂ１　，Ｂ１　において、第１，第２タイプと同様に隣接する建築用板Ｂ１　，Ｂ１　を適宜に離間させ、対向する半山形状の連結用屈曲部２７，２７との間に採光用開口部Ｓを構成し、該採光用開口部Ｓ箇所に前記連結部材Ｃが装着され、該連結部材Ｃにより採光板支持体Ａ，Ａとともに主採光板１７等が装着され採光装置が構成される。なお、このタイプに適応する連結部材Ｃの上連結部Ｃ１　は左右でそれぞれ独立した部材となっている。また、上連結部Ｃ１　と下連結部Ｃ２　とで前記連結用屈曲部２７を挟持し、且つボルト・ナット等の固着具１６にて締めつけるものであるが、このとき上連結部Ｃ１　と建築用板Ｂ１　との間に防水テープ等の防水部材を介在させて防水処理をすることもある。
【００３１】
建築用板Ｂ１　の第４タイプは、図１４（Ａ）に示すように、フラット状としたもので、平坦状の主板２５の幅方向両側に下方に屈曲形成された連結用屈曲部２７，２７を有するものである。このタイプでは、図１４（Ｂ）に示すように、取付け具３０とガッター部２９が具備され、対向する連結用屈曲部２７，２７は取付け具３０に嵌合するとともに、ガッター部２９内に挿入される。また、ガッター部２９上にはキャップ材２８が被せられる。
【００３２】
この第４タイプでは、前記主板２５の適宜の箇所が切除されて採光用開口部Ｓが形成され、該採光用開口部Ｓに連結部材Ｃが装着される。この第４タイプにおける連結部材Ｃは単一部材からなる。その切除されて形成された採光用開口部Ｓ箇所では、主板２５の一部が上方に折曲げ形成されて連結部２５ａ，２５ａが構成されることになり、その連結部２５ａ，２５ａと前記連結部材Ｃの立上り部位に採光板支持体Ａ，Ａが装着され、連結用固着具３１にて締付け固着され、採光装置が構成されるものである。
【００３３】
建築用板Ｂ１　の第５タイプは、図１５（Ａ）に示すように、瓦棒タイプであり、主板２５の幅方向両側に立上り側部２６，２６が形成され、該立上り側部２６，２６の上端には連結用屈曲部２７，２７が形成されている。その隣接する建築用板Ｂ１　，Ｂ１　は前記連結用屈曲部２７，２７により連結されるものであり、該連結用屈曲部２７，２７と前記立上り側部２６，２６とでほぼ方形状の瓦棒部を構成する。第５タイプでは、前記第１タイプの建築用板Ｂ１　とほぼ同様に前記連結用屈曲部２７，２７は、キャップ材２８が被せられる。そのキャップ材２８と両連結用屈曲部２７，２７とは嵌合状態となるものである。
【００３４】
その採光装置の装着箇所では、隣接する建築用板Ｂ１　，Ｂ１　を適宜に離間させ、対向する両連結用屈曲部２７，２７には、所定の間隔が形成され、これが採光用開口部Ｓとなる。該採光用開口部Ｓ箇所に前記連結部材Ｃが装着され、該連結部材Ｃにより採光板支持体Ａ，Ａとともに主採光板１７等が装着され採光装置が構成される。なお図１，図３（Ａ），図９等の図中に示された符号３２の部材は、介装材であって、連結部材Ｃと採光板支持体Ａとの間に装着され、採光板支持体Ａを安定させる等の役目をなしている。その介装材３２は、硬質又は軟質のゴム，スポンジ，合成樹脂，木材或いは金属材等である。
【００３５】
【作用】
図６に示すように、外囲体Ｂに採光用開口部Ｓを設け、該採光用開口部Ｓ箇所に連結部材Ｃを装着する。一方、図７に示すように、主採光板１７（副採光板１９を含むこともある）の幅方向両側に採光板支持体Ａ，Ａをガスケット１８，１８を介して装着する。前記連結部材Ｃを装着した外囲体Ｂの採光用開口部Ｓに主採光板１７に装着した両採光板支持体Ａ，Ａを設置し、両採光板支持体Ａ，Ａの装着部１１，１１と連結部材Ｃの両被連結屈曲片１３，１３とを対応させ、それぞれに連結用固着具３１，３１を締めつけて固着する。
【００３６】
【発明の効果】
請求項１の発明は、中空状筺部１と，該中空状筺部１に形成された溝状の被挿入部２とからなる主支持枠Ａ１　と，該主支持枠Ａ１　の下方に一体形成された装着部１１とからなる採光板支持体Ａと、前記被挿入部２にガスケット１８を介して挿入支持される主採光板１７と、複数の建築用板Ｂ１　，Ｂ１　，…にて構成されるとともに適宜の箇所に採光用開口部Ｓが形成された外囲体Ｂと、前記採光板支持体Ａと採光用開口部Ｓとを連結する連結部材Ｃとからなり、前記主採光板１７の幅方向両側端にガスケット１８，１８が装着され、該ガスケット１８が前記被挿入部２に挿入され、両採光板支持体Ａ，Ａの装着部１１と前記採光用開口部Ｓに装着された連結具とが固着されてなる採光外囲体としたことにより、採光装置を構成する部品を最小限とし、構造が簡単であり、施工を簡易且つ迅速にできるものである。
【００３７】
上記効果を詳述すると、採光板支持体Ａは、主支持枠Ａ１　及び装着部１１が一体的に形成されたものである。すなわち、主支持枠Ａ１　及び装着部１１が一つの部品としてまとめられたものである。それゆえに、外囲体Ｂの採光用開口部Ｓに採光装置を構成するにあたり、主採光板１７はガスケット１８とともに採光板支持体Ａの被挿入部２に装着するのみで、あとは採光板支持体Ａを連結部材Ｃを介して採光用開口部Ｓ箇所に装着することで、採光装置を構成することができる。この作業は極めて簡単且つ迅速に行うことができ、作業の効率化をはかり、工期の短縮化を実現できる。
【００３８】
請求項２の発明は、請求項１において、前記主採光板１７の表面側と採光板支持体Ａとガスケット１８の周辺はシール材２０にて被覆されてなる採光外囲体としたことにより、ガスケット１８箇所の水密性をより一層確実なものにすることができる。
【００３９】
請求項３の発明は、請求項１又は２において、前記採光板支持体Ａの被挿入部２の下方箇所には溝状の副支持部３が形成され、且つ前記主採光板１７の下方に位置する副採光板１９が具備され、前記副採光板１９は前記副支持部３に装着されてなる採光外囲体としたことにより、断熱及び保温効果を有することができる。すなわち、主採光板１７と副採光板１９とが備わり、この間に断熱層が構成されることとなる。それゆえに、断熱及び保温効果を有するものである。
【００４０】
請求項４の発明は、請求項３において、前記副支持部３の下方箇所には樋状部４が形成されてなる採光外囲体としたことにより、結露による水滴の落下を防止することができる。
【００４１】
請求項５の発明は、請求項４において、前記樋状部４に隣接して排水室５が形成され、前記樋状部４と排水室５との間には内部排水弁７が装着され、且つ該内部排水弁７により樋状部４から排水室５の方向にのみ水の流れが可能としてなる採光外囲体としたことにより、良好なる排水ができる。
【００４２】
請求項６の発明は、請求項５において、前記排水室５の外側面部には外部排水弁１０が装着され、且つ排水室５から外部にのみ排水可能としてなる採光外囲体としたことにより、良好なる排水ができるとともに、台風等の強風時に外部からの雨水等の水の浸入を防止することができる。
【００４３】
請求項７の発明は、請求項１，２，３，４，５又は６において、前記両採光板支持体Ａ，Ａ及び主採光板１７上には被覆採光体２１が装着されてなる採光外囲体としたことにより、主採光板１７の外部からの落下物，強風等から保護することができる。
【００４４】
請求項８の発明は、請求項１，２，３，４，５，６又は７において、前記建築用板Ｂ１　は折板タイプとし、前記採光用開口部Ｓは前記隣接する折板タイプの建築用板Ｂ１　に適宜の間隔を設けてなる採光外囲体としたことにより、採光装置の装着箇所には、その隣接する建築用板Ｂ１　，Ｂ１　を適宜に離間させて間隔を設けるのみで採光用開口部Ｓを構成することができる。
【００４５】
請求項９の発明は、請求項１，２，３，４，５，６又は７において、前記建築用板Ｂ１　はフラットタイプとし、前記採光用開口部Ｓは前記フラットタイプの建築用板Ｂ１　の主板２５に形成されてなる採光外囲体としたことにより、主板２５を適宜に切除することで、採光用開口部Ｓを構成することができる。
【図面の簡単な説明】
【図１】本発明の第１タイプの建築用板を使用した採光外囲体の要部縦断正面図
【図２】（Ａ）は図１（Ａ）の平面略示図
（Ｂ）は第１タイプの建築用板による外囲体の連結箇所における分解略示図
【図３】（Ａ）は本発明における要部を断面とした斜視図
（Ｂ）は採光板支持体の要部斜視図
【図４】（Ａ）は採光板支持体の縦断正面図
（Ｂ）は採光板支持体に内部排水弁のみを装着した状態の要部拡大断面図
（Ｃ）は採光板支持体に外部排水弁のみを装着した状態の要部拡大断面図
【図５】（Ａ）は外部排水弁の揺動扉が閉じている状態の斜視図
（Ｂ）は外部排水弁の揺動扉が開いている状態の斜視図
（Ｃ）は外部排水弁の揺動扉が閉じている状態の正面図
（Ｄ）は外部排水弁が採光板支持体に装着された状態の縦断平面図
【図６】第１タイプの建築用板に連結部材が装着される工程図
【図７】主採光板の幅方向両側に採光板支持体が装着される工程図
【図８】採光板支持体に支持された主採光板が装着されようとする工程図
【図９】採光板支持体が連結部材に固着具にて固着されようとする工程図
【図１０】（Ａ）は第１タイプの被覆採光体を装着した縦断正面図
（Ｂ）は（Ａ）の工程図
【図１１】（Ａ）は第２タイプの被覆採光体を装着した縦断正面図
（Ｂ）は（Ａ）の工程図
【図１２】（Ａ）は第２タイプの建築用板を使用した外囲体の採光用開口部に採光装置を施工した要部縦断正面図
（Ｂ）は（Ａ）の幅方向の一部を省略した要部拡大断面図
（Ｃ）は第２タイプの建築用板の連結箇所の要部略示図
【図１３】（Ａ）は第３タイプの建築用板を使用した外囲体の採光用開口部に採光装置を施工した要部縦断正面図
（Ｂ）は第３タイプの建築用板の連結箇所の要部略示図
【図１４】（Ａ）は第４タイプの建築用板を使用した外囲体の採光用開口部に採光装置を施工した要部縦断正面図
（Ｂ）は（Ａ）の要部拡大断面図
【図１５】（Ａ）は第５タイプの建築用板を使用した外囲体の採光用開口部に採光装置を施工した要部縦断正面図
（Ｂ）は（Ａ）の工程図
（Ｃ）は第５タイプの建築用板の連結箇所の要部略示図
【符号の説明】
Ａ…採光板支持体
Ａ１　…主支持枠部
Ｂ…外囲体
Ｂ１　…建築用板
Ｃ…連結部材
Ｓ…採光用開口部
１…中空状筺部
２…被挿入部
３…副支持部
４…樋状部
５…排水室
７…内部排水弁
１０…外部排水弁
１１…装着部
１７…主採光板
１８…ガスケット
１９…副採光板
２０…シール材
２１…被覆採光体
【図１】
2004137824.tif 000003
【図２】
2004137824.tif 000004
【図３】
2004137824.tif 000005
【図４】
2004137824.tif 000006
【図５】
2004137824.tif 000007
【図６】
2004137824.tif 000008
【図７】
2004137824.tif 000009
【図８】
2004137824.tif 000010
【図９】
2004137824.tif 000011
【図１０】
2004137824.tif 000012
【図１１】
2004137824.tif 000013
【図１２】
2004137824.tif 000014
【図１３】
2004137824.tif 000015
【図１４】
2004137824.tif 000016
【図１５】
2004137824.tif 000017